(57)【要約】【課題】棚を配置しても居室内の一体感や統一感を確保することが可能な住宅を提供する。【解決手段】居室内に配置されて複数の棚板（１４２）を有する棚（１４）と、棚（１４）に隣接して配置された居室内構造物（１３）とを備え、棚（１４）には、居室内構造物（１３）と少なくとも一部の外観が同一である部品が用いられている住宅。【選択図】図３
2020139279.tif 000002
【特許請求の範囲】
【請求項１】
居室内に配置されて複数の棚板を有する棚と、
前記棚に隣接して配置された居室内構造物とを備え、
前記棚には、前記居室内構造物と少なくとも一部の外観が同一である部品が用いられていることを特徴とする住宅。
【請求項２】
請求項１に記載の住宅であって、
前記居室内構造物は、複数の踏板を有する階段であり、
前記部品は棚板であることを特徴とする住宅。
【請求項３】
請求項２に記載の住宅であって、
前記棚板の側面と、前記踏板の端面の仕上げが同一であることを特徴とする住宅。
【請求項４】
請求項２または３に記載の住宅であって、
前記棚板の間隔は、前記踏板の間隔の整数倍であることを特徴とする住宅。
【請求項５】
請求項１に記載の住宅であって、
前記居室内構造物は、床面から天井まで到達する柱であり、
前記部品は、前記柱と幅および表面仕上げが同一の棚柱であることを特徴とする住宅。
【発明の詳細な説明】
【技術分野】
【０００１】
本発明は、住宅に関し、特に居室内に棚を配置した住宅に関する。
【背景技術】
【０００２】
従来から、居室内に棚を配置した住宅の間取りが提案されている（例えば、特許文献１，２を参照）。特許文献１に記載された住宅では、階段に隣接した側壁に代えて階段横収納である棚を配置している。特許文献２に記載された住宅では、螺旋階段を配置した吹き抜け空間の壁部に収納棚を設けている。これらの従来技術では、居室内に設けられた階段等の居室内構造物の近傍に棚を配置することで、空間や壁面を収納スペースとして有効に活用している。
【先行技術文献】
【特許文献】
【０００３】
【特許文献１】特開２０１４−２２４４１７号公報
【特許文献２】特開２００６−２８３４６４号公報
【発明の概要】
【発明が解決しようとする課題】
【０００４】
しかし、特許文献１，２に示された従来技術では、居室内でのデッドスペースの有効活用を目的としているため、棚を配置することによって居室内の一体感や統一感が損なわれる可能性があった。
【０００５】
そこで本発明は、上記従来の問題点に鑑みなされたものであり、棚を配置しても居室内の一体感や統一感を確保することが可能な住宅を提供することを目的とする。
【課題を解決するための手段】
【０００６】
上記課題を解決するために、本発明の住宅は、居室内に配置されて複数の棚板を有する棚と、前記棚に隣接して配置された居室内構造物とを備え、前記棚には、前記居室内構造物と少なくとも一部の外観が同一である部品が用いられていることを特徴とする。
【０００７】
このような本発明の住宅では、居室内構造物と少なくとも一部が同一である部品を棚に用いているため、居室を構成する要素と棚を構成する要素に共通部分を認識することができ、棚を配置しても居室内の一体感や統一感を確保することが可能となる。
【０００８】
また本発明の一態様では、前記居室内構造物は、複数の踏板を有する階段であり、前記部品は棚板である。
【０００９】
また本発明の一態様では、前記棚板の側面と、前記踏板の端面の仕上げが同一である。
【００１０】
また本発明の一態様では、前記棚板の間隔は、前記踏板の間隔の整数倍である。
【００１１】
また本発明の一態様では、前記居室内構造物は、床面から天井まで到達する柱であり、前記部品は、前記柱と幅および表面仕上げが同一の棚柱である。
【発明の効果】
【００１２】
本発明では、棚を配置しても居室内の一体感や統一感を確保することが可能な住宅を提供することができる。
【図面の簡単な説明】
【００１３】
【図１】第１実施形態における住宅の一階部分を模式的に示す平面図である。
【図２】第１実施形態における住宅の二階部分を模式的に示す平面図である。
【図３】居室１１内から階段１３および棚１４の見え方を模式的に示す図である。
【図４】階段１３と棚１４の関係を模式的に示す図であり、図４（ａ）は模式正面図であり、図４（ｂ）は模式側面図である。
【図５】踏板１３３と棚板１４２の位置関係を示す部分拡大図である。
【図６】第２実施形態における棚１４と柱１５の位置関係を示す模式斜視図である。
【発明を実施するための形態】
【００１４】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図２は、本実施形態における住宅の二階部分を模式的に示す平面図である。図１，２に示すように、本実施形態の住宅は一階に居室１１と、ステップフロア１２と、階段１３と、棚１４と、柱１５を備え、二階には二階居室２１と、階段１３と、棚１４と、柱１５を備えている。
【００１５】
居室１１は、住宅の一階部分において住宅を構成する壁面で区切られた空間であり、ソファやテーブル等の家具が配置された居住空間である。図１では、居室１１がリビングルームの例を示しているが、ダイニングルームやキッチン、書斎等の人が居住する空間であれば用途は限定されない。二階居室２１は、住宅の二階部分において住宅を構成する壁面で区切られた空間である。
【００１６】
ステップフロア１２は、居室１１の一部に設けられた領域であり、居室１１の床レベルよりも高い床を有している。ステップフロア１２と居室１１の間には、カウンターテーブル等の家具を配置して空間を区切るとしてもよく、家具等を配置せず居室１１の一部分をステップフロアとして構成してもよい。また、図１では居室１１にステップフロア１２を設けた例を示したが、ステップフロア１２を設けず居室内の床レベルを同一にするとしてもよい。
【００１７】
階段１３は、ステップフロア１２内で棚１４に隣接して配置された階段であり、住宅の一階部分と二階部分との間で移動を可能にしている。図１では階段１３として直階段を設けた例を示しているが形状や構造は限定されず、かね折れ階段や折り返し階段、螺旋階段等を用いてもよい。階段１３の具体例は後述する。
【００１８】
棚１４は、階段１３および柱１５に隣接して配置された棚であり、柱１５が設けられた通路部とステップフロア１２とを区切っている。棚１４の具体的な構造は限定されないが、棚の一部に視線を遮る隠蔽部分と、反対側を視認可能な透視部分が設けられていることが好ましい。棚１４の具体例は後述する。
【００１９】
柱１５は、階段１３に隣接して配置された柱であり、一階および二階の床から天井まで到達するように設けられている。柱１５は、住宅の構造部分であり、居室１１内に露出している。本実施形態では柱１５として壁面から分離した位置に立てられた化粧柱を示しているが、壁面と一体化した柱であってもよい。柱１５の構造や仕上げは限定されない。
【００２０】
図３は、居室１１内から階段１３および棚１４の見え方を模式的に示す図である。図３に示すようにステップフロア１２内には階段１３が設けられており、階段１３に隣接して棚１４が配置されている。ステップフロア１２の領域は吹き抜け空間となっており、棚１４は一階の床から二階の天井に至るまで設けられている。階段１３は、側桁１３１と、手摺１３２と、踏板１３３を備えている。また、棚１４は、側板１４１と、棚板１４２と、棚柱１４３と、方立１４４と、背面板１４５と、照明部１４６を備えている。
【００２１】
側桁１３１は、階段１３の各部を支える部材であり、一階の床面と二階の床面との間を結ぶように傾斜して設けられている。手摺１３２は、側桁１３１に沿って立てられた親柱と、親柱の頂部を接続した手摺棒を備えている。踏板１３３は、対向して設けられた側桁１３１の間に固定された複数の板状部材である。
【００２２】
側板１４１は、棚１４の両側に設けられて棚板１４２を保持する部材である。棚板１４２は、側板１４１の間に架橋された複数の平板状部材である。
【００２３】
棚柱１４３は、棚板１４２の間に配置された柱である。方立１４４は、棚板１４２の間に配置されて棚板１４２の横方向を区切る板である。背面板１４５は、棚板１４２の延伸方向に沿って上下の棚板１４２間に配置された板状の部材である。照明部１４６は、棚板１４２の下面に埋め込まれた照明装置であり、例えば発光ダイオード（ＬＥＤ：Ｌｉｇｈｔ  Ｅｍｉｔｔｉｎｇ  Ｄｉｏｄｅ）を光源としてライン状に配置した照明装置を用いることができる。
【００２４】
本実施形態の階段１３は、棚１４に隣接して居室１１内に配置された構造物であり、本発明における居室内構造物に相当している。また、階段１３を構成する側桁１３１、手摺１３２および踏板１３３のうち、居室１１から視認可能な一部と同じ構造が、棚１４の一部にも用いられている。
【００２５】
具体的な一例としては、踏板１３３の端面である段鼻部分と棚板１４２の側面とで、板の厚み、仕上材による表面仕上げ、および装飾形状が同一にされている。これにより、階段１３と棚１４を視認した際には、棚板１４２の側面と、踏板１３３の段鼻部分とが密接に関連付けられる。したがって、居室１１内で隣接して配置されている階段１３と棚１４の一体感および統一感を高めることができる。
【００２６】
図４は、階段１３と棚１４の関係を模式的に示す図であり、図４（ａ）は模式正面図であり、図４（ｂ）は模式側面図である。図４（ａ）（ｂ）に示すように、複数の踏板１３３は等間隔で一階床と二階床まで設けられている。また、複数の棚板１４２も等間隔で一階床から二階天井まで設けられている。さらに、棚板１４２同士の間隔は、踏板１３３同士の整数倍とされており、図４に示した例では二倍の間隔で設けられている。
【００２７】
図４（ａ）（ｂ）に示したように、棚板１４２同士の間隔を踏板１３３同士の間隔の整数倍とすることで、階段１３と棚１４の構造がさらに密接に関連付けられる。これにより、居室１１内で隣接して配置されている階段１３と棚１４の一体感および統一感をさらに高めることができる。
【００２８】
図５は、踏板１３３と棚板１４２の位置関係を示す部分拡大図である。図５に示すように、踏板１３３と棚板１４２とは異なる高さに設けられており、棚板１４２の下面と踏板１３３の上面が略一致するように配置されている。ここで、下面と上面が略一致とは、両者の高さの相違が１ｃｍ未満であることを意味し、好ましくは３ｍｍ未満、さらに好ましくは１ｍｍ未満である。
【００２９】
このように、棚板１４２の下面と踏板１３３の上面が略一致することで、階段１３と棚１４の構造がより一層密接に関連付けられる。これにより、居室１１内で隣接して配置されている階段１３と棚１４の一体感および統一感をより一層高めることができる。
【００３０】
上述したように本実施形態の住宅では、居室内構造物である階段１３と少なくとも一部の外観が同一である部品を棚１４に用いているため、居室１１を構成する要素と棚１４を構成する要素に共通部分を認識することができ、棚１４を配置しても居室１１内の一体感や統一感を確保することが可能となる。
【００３１】
（第２実施形態）
次に、本発明における第２実施形態について図６を用いて説明する。第１実施形態と重複する内容は説明を省略する。図６は、本実施形態における棚１４と柱１５の位置関係を示す模式斜視図である。図６に示すように、本実施形態の住宅では、棚１４に隣接して柱１５が設けられている。
【００３２】
本実施形態の柱１５は、棚１４に隣接して居室１１内に配置された構造物であり、本発明における居室内構造物に相当しており、柱１５と同じ構造が棚１４の一部にも用いられている。
【００３３】
具体的には、複数の棚板１４２の間には、下段の上面から上段の下面に至るまで棚柱１４３が設けられている。棚柱１４３は、柱１５と太さおよび仕上材による表面仕上げが同一とされている。これにより、柱１５と棚１４を視認した際には、棚柱１４３と柱１５とが密接に関連付けられる。したがって、居室１１内で隣接して配置されている棚１４と柱１５の一体感および統一感を高めることができる。
【００３４】
上述したように本実施形態の住宅では、居室内構造物である柱１５と少なくとも一部の外観が同一である部品を棚１４に用いているため、居室１１を構成する要素と棚１４を構成する要素に共通部分を認識することができ、棚１４を配置しても居室１１内の一体感や統一感を確保することが可能となる。
【００３５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３６】
１１…居室
１２…ステップフロア
１３…階段
１４…棚
１５…柱
２１…二階居室
１３１…側桁
１３２…手摺
１３３…踏板
１４１…側板
１４２…棚板
１４３…棚柱
１４４…方立
１４５…背面板
１４６…照明部
【図１】
2020139279.tif 000003
【図２】
2020139279.tif 000004
【図３】
2020139279.tif 000005
【図４】
2020139279.tif 000006
【図５】
2020139279.tif 000007
【図６】
2020139279.tif 000008